(57)【特許請求の範囲】
【請求項１】
少なくとも、
回路基板と、
該回路基板に搭載され回路基板面上部に発光する発光素子と、
導光板、拡散部材、偏光板、半透過反射シートを位置決め固定する筐体とを備える反射型液晶表示装置用フロントライトであって、
前記導光板を前記発光素子の上面に位置するように前記筐体内に組み込み、該導光板の内側面の前面より発光素子からの光を出光させ、前記拡散部材及び前記偏光板を前記導光板の内側面の前面に配置し、該偏光板から回路基板に平行な光を出光させ、該平行光の前方に反射光が回路基板側に入射するように前記半透過型反射シートを前記筐体内に組み込み、前記筐体の半透過型反射シート上方部位には反射型液晶表示素子を視認するための窓部を有し、該窓部に透明フィルムを設けたことを特徴とする反射型液晶表示装置用フロントライト。
【請求項２】
少なくとも、
回路基板と、
該回路基板に搭載される液晶表示素子と、
該回路基板に搭載され回路基板面上部に発光する発光素子と、
導光板、拡散部材、偏光板、半透過反射シートを位置決め固定する筐体とを備える反射型液晶表示装置であって、
前記導光板を前記発光素子の上面に位置するように前記筐体内に組み込み、該導光板の内側面の前面より発光素子からの光を出光させ、前記拡散部材及び前記偏光板を前記導光板の内側面の前面に配置し、該偏光板から回路基板に平行な光を出光させ、該平行光の前方に反射光が反射型液晶表示素子に入射するように前記半透過型反射シートを前記筐体内に組み込み、前記筐体の前記半透過型反射シート上方部位には反射型液晶表示素子を視認するための窓部を有し、該窓部に透明フィルムを設けたことを特徴とする反射型液晶表示装置。
【請求項３】
透明フィルムが偏光板であることを特徴とする請求項１記載の反射型液晶表示装置用フロントライト。
【請求項４】
透明フィルムが偏光板であることを特徴とする請求項２記載の反射型液晶表示装置。
【発明の詳細な説明】
【０００１】
【発明の属する技術分野】
本発明は反射型液晶表示装置用フロントライト及び反射型液晶表示装置に関するものである。
【０００２】
【従来の技術】
液晶表示装置は小型軽量な表示装置として多用されている。小型ビデオカメラにおいても電子ビューファインダーとして使われているが、従来使用されている液晶ビューファインダーは透過型液晶表示装置である。
【０００３】
【発明が解決しようとする課題】
本発明は反射型液晶表示装置とそれに使用する反射型液晶表示装置用フロントライトに関するものであり、反射型液晶表示装置は液晶表示素子の表示面側から液晶表示素子に照明光を投射しなければならない。本発明の目的は反射型液晶表示装置用フロントライト筐体内及び反射型液晶表示装置へのゴミの侵入を防ぎ、反射型液晶表示装置のコントラストを向上させることにある。
【０００４】
【課題を解決するための手段】
少なくとも、回路基板と、該回路基板に搭載され回路基板面上部に発光する発光素子と、導光板、拡散部材、偏光板、半透過反射シートを位置決め固定する筐体とを備える反射型液晶表示装置用フロントライトであって、
前記導光板を前記発光素子の上面に位置するように前記筐体内に組み込み、該導光板の内側面の前面より発光素子からの光を出光させ、前記拡散部材及び前記偏光板を前記導光板の内側面の前面に配置し、該偏光板から回路基板に平行な光を出光させ、該平行光の前方に反射光が回路基板側に入射するように前記半透過型反射シートを前記筐体内に組み込み、前記筐体の半透過型反射シート上方部位には反射型液晶表示素子を視認するための窓部を有し、該窓部に透明フィルムを設けた反射型液晶表示装置用フロントライトとする。
【０００５】
少なくとも、回路基板と、該回路基板に搭載される液晶表示素子と、該回路基板に搭載され回路基板面上部に発光する発光素子と、導光板、拡散部材、偏光板、半透過反射シートを位置決め固定する筐体とを備える反射型液晶表示装置であって、
前記導光板を前記発光素子の上面に位置するように前記筐体内に組み込み、該導光板の内側面の前面より発光素子からの光を出光させ、前記拡散部材及び前記偏光板を前記導光板の内側面の前面に配置し、該偏光板から回路基板に平行な光を出光させ、該平行光の前方に反射光が反射型液晶表示素子に入射するように前記半透過型反射シートを前記筐体内に組み込み、前記筐体の前記半透過型反射シート上方部位には反射型液晶表示素子を視認するための窓部を有し、該窓部に透明フィルムを設けた反射型液晶表示装置とする。
【０００６】
透明フィルムを半透過型反射シートに設けられた偏光板と同じ偏光特性を有する偏光板とする。
【０００７】
【発明の実施の形態】
図１は本発明による反射型液晶表示装置用フロントライトの正面断面図、図２は左側面図、図３は右側面図、図４は下面図である。フロントライトは、反射型液晶表示素子を視認するための窓部２を有する筐体１と筐体１に組込まれる導光部材３、拡散部材４、偏光板５、半透過型反射シート６、透明フィルム７で構成されている。
【０００８】
筐体１の窓部２の内側に透明フィルム７を貼付し、筐体１内部に形成された段部８と溝部９、１０に半透過型反射シート６を組込む。直方体である導光部材３の４面を包み込む反射部材１１と共に一体化された、導光部材３、拡散部材４、偏光板５、反射部材１１を筐体１に形成された凹部１ａに組込むとフロントライトは完成する。偏光板５と拡散部材４の間にレンズシートを積層することもある。
【０００９】
図５は本発明による反射型液晶表示装置の正面断面図、図６は左側面図、図７は右側面図である。反射型液晶表示素子１３、発光素子であるＬＥＤ１５、フロントライト用固定基台１４を所定位置に搭載した回路基板１２のフロントライト用固定基台１４上にフロントライトを搭載して完成した反射型液晶表示装置である。
【００１０】
図８は図５と同じ図で、本発明による反射型液晶表示装置用フロントライトの正面断面図である。反射型液晶表示装置は図中に示す目１６方向から画像を見るものである。発光素子１５からの光（矢印▲１▼）は導光部材３の下面から導光部材３に導入される。導入された光は導光部材３の内側面の前面に配置された拡散部材４で拡散され、偏光板５を透過した直線偏光光（以下Ｐ波という）だけが矢印▲２▼の方向に進む。半透過型反射シート６はＰ波を反射するものであり、半透過型反射シート６で反射されたＰ波は矢印▲３▼に進み反射型液晶表示素子１３に入射するように半透過型反射シート６が配置されている。
【００１１】
反射型液晶表示素子１３は電源オフ状態でＰ波がそのまま液晶を通過するように配置してあり、反射型液晶表示素子１３で反射されたＰ波は矢印▲４▼方向に進む。半透過型反射シート６の偏光板６ｂはＰ波を透過しない状態に配置してあり、電源オフ状態では黒表示状態となっている。
【００１２】
反射型液晶表示素子１３の電源オン状態ではＰ波は液晶で偏光され、反射型液晶表示素子１３で偏光されて反射された偏光光は矢印▲４▼方向に進む。半透過型反射シート６の偏光板６ｂは電源オン状態で反射された光を透過する状態に配置されているので、電源オン状態では白表示状態となっている。
【００１３】
偏光板の偏光方向と反射型液晶表示素子の配置・組み合せは反射型液晶表示素子により適宜選定される。
【００１４】
透明フィルム７は窓部２から筐体１内部にゴミが入るのを防止するためのものであり、筐体１の外面に貼付することも可能である。
【００１５】
透明フィルムの代わりに偏光板を使用すると筐体内部での散乱光は吸収され、反射型液晶表示素子の反射光と同一の偏光光のみ偏光板により透過するため、液晶のスイッチングに対応した黒表示、白表示が可能となりコントラストを向上することができる。この時半透過型反射シートの偏光板との偏光方向を揃える必要があることは言うまでもない。
【００１６】
【発明の効果】
フロントライトの窓部に透明フィルムまたは偏光板を設けたのでフロントライト及び液晶表示素子表示面へのゴミ侵入を防止できる。
【００１７】
透明フィルムの代わりに偏光板を使用することでコントラストを向上することができる。
【図面の簡単な説明】
【図１】本発明による反射型液晶表示装置用フロントライトの正面断面図
【図２】左側面図
【図３】右側面図
【図４】下面図
【図５】本発明による反射型液晶表示装置の正面断面図
【図６】左側面図
【図７】右側面図
【図８】本発明による反射型液晶表示装置用フロントライトの正面断面図
【符号の説明】
１      筐体
１ａ    凹部
２      窓部
３      導光部材
４      拡散部材
５      偏光板
６      半透過型反射シート
６ａ    反射板
６ｂ    偏光板
７      透明フィルム
８      筐体の段部
９      溝部
１０    溝部
１１    反射部材
１２    基板
１３    反射型液晶表示素子
１４    基台
【図１】
0003596396.tif 000002
【図２】
0003596396.tif 000003
【図３】
0003596396.tif 000004
【図４】
0003596396.tif 000005
【図５】
0003596396.tif 000006
【図６】
0003596396.tif 000007
【図７】
0003596396.tif 000008
【図８】
0003596396.tif 000009